(57)【要約】      （修正有）【課題】コンパクトなサコッシュの形態と、リュックサックの形態との間で変形させることのできるサコッシュ可変式リュックを提供する。【解決手段】サコッシュ可変式リュックであって、リュック本体部２と肩掛けベルトを備え、該サコッシュ可変式リュックのリュック本体部２の正面又は背面の横断方向又は上下方向に延びている中央線２２と平行に二つ折りされた場合にその二つ折りの状態を保持することができるように、１つ又は複数の係合具２４、２４’が所定の位置に設けられている。【選択図】図２
0003222654.tif 000002
【実用新案登録請求の範囲】
【請求項１】
サコッシュ可変式リュックであって、
リュック本体部と、
上記リュック本体部に接続された肩掛けベルトと、
を備え、
上記リュック本体部の正面又は背面の横断方向又は上下方向に延びている中央線と平行に上記リュック本体部が二つ折りされた場合にその二つ折りの状態を保持することができるように、１つ又は複数の係合具が所定の位置に設けられていることを特徴とする、サコッシュ可変式リュック。
【請求項２】
上記肩掛けベルトは、上記リュック本体部に対して取外し可能に接続されていることを特徴とする、請求項１に記載のサコッシュ可変式リュック。
【請求項３】
上記１つ又は複数の係合具は、磁性体、面ファスナ、ボタンホック、フック及びこれらの組合せからなる群から選択された係合具であることを特徴とする、請求項１又は請求項２に記載のサコッシュ可変式リュック。
【請求項４】
所与のキャリーケースのキャリーバーに係着させるための面ファスナが設けられていることを特徴とする、請求項１〜３のいずれかに記載のサコッシュ可変式リュック。
【考案の詳細な説明】
【技術分野】
【０００１】
本考案は、サコッシュ可変式リュックに関し、詳しくは、サコッシュの形態とリュックサック（バックパック）の形態との間で変形させることができるように構成されたサコッシュ可変式リュックに関する。なお、本願の実用新案登録請求の範囲及び明細書における「サコッシュ」は、ボディーバッグ等を含むショルダータイプのバッグ全般を指すものとする。
【背景技術】
【０００２】
通勤や通学において両手が自由になるという利点があることから、リュックサックを普段使いする人が増えている。自転車での通勤や通学の広がりも、リュックサックの人気を後押ししている。しかし、混雑した場所例えば書店や電車内においてリュックサックを背負ったままでいると、背中のリュックサックが他人の通路を塞いで迷惑をかけてしまうことがある。
【０００３】
その一方で、フランス語でショルダータイプのバッグを意味するサコッシュの人気の高まりがあり、手荷物の量が少ないときには、リュックサックの代わりにコンパクトなサコッシュを使用したいというニーズもある。そこで、使用者のその日の気分や必要性に応じて、リュックサックとしてもサコッシュとしても使用することのできるツーウェイ（２−Ｗａｙ）タイプの鞄類があることが望ましい。
【先行技術文献】
【特許文献】
【０００４】
【特許文献１】実用新案登録第３２１７８９４号公報
【考案の概要】
【考案が解決しようとする課題】
【０００５】
本考案は、必要に応じてコンパクトでお洒落なサコッシュの形態へ変形させることのできるサコッシュ可変式リュックを提供することを目的とする。
【課題を解決するための手段】
【０００６】
本考案の一実施例においては、サコッシュ可変式リュックであって、リュック本体部と、リュック本体部に接続された肩掛けベルトと、を備え、リュック本体部の正面又は背面の横断方向又は上下方向に延びている中央線と平行にリュック本体部が二つ折りされた場合にその二つ折りの状態を保持することができるように、１つ又は複数の係合具が所定の位置に設けられていることを特徴とする、サコッシュ可変式リュックを提供する。
【０００７】
他の実施例においては、肩掛けベルトは、リュック本体部に対して取外し可能に接続されていることを特徴とする。
【０００８】
さらなる実施例においては、１つ又は複数の係合具は、磁性体、面ファスナ、ボタンホック、フック及びこれらの組合せからなる群から選択された係合具であることを特徴とする。
【０００９】
さらに他の実施例においては、所与のキャリーケースのキャリーバーに係着させるための面ファスナが設けられていることを特徴とする。
【図面の簡単な説明】
【００１０】
【図１】一実施例におけるサコッシュ可変式リュックの正面図。
【図２】リュック本体部の背面図。
【図３】リュックサックの形態へ変形された状態を示す図。
【図４】リュックが二つ折りの形態へ変形する過程を示す図。
【図５】二つ折りの形態へ変形したリュック本体部を示す図。
【図６】サコッシュの形態へ変形した状態を示す図。
【図７】（ａ）リュックとしての使用態様を示す図、（ｂ）サコッシュとしての使用態様を示す図、及び（ｃ）ボディーバッグとしての使用態様を示す図。
【図８】キャリーバーに取り付けられた本考案のサコッシュ可変式リュックを示す図。
【図９】面ファスナを使ってキャリーバーに取り付けられた本考案のサコッシュ可変式リュックを示す図。
【図１０】図１、図５及び図９に示した面ファスナ３０と弾性部材３１を示す平面図。
【考案を実施するための形態】
【００１１】
図１は、本考案のサコッシュ可変式リュック１（以下単に「リュック１」ともいう）の正面図である。一実施例においては、サコッシュ可変式リュック１は、概して、リュック本体部２と肩掛けベルト４を備える。換言すれば、本明細書におけるリュック本体部２とは、概して、サコッシュ可変式リュック１のうちの肩掛けベルト４以外の部分のことを指す。
【００１２】
肩掛けベルト４は、必要に応じて長さ調節することができるように構成された長さ調節部８を有する。また、肩掛けベルト４の両端部に、係着具としてのフック６，６’が設けられている。
【００１３】
一実施例においては、リュック本体部２の上辺付近の高さ位置と中間の高さ位置に横断方向に延在するように第１及び第２の収納口１０が設けられている。また、収納口１０に沿ってジッパ１２が設けられている。リュック１の使用者は、ジッパ１２のスライダ１４をスライド操作することにより、第１及び第２の収納口１０を開閉することができる。さらなる実施例においては、リュック本体部２のほぼ中間の高さ位置に第３の収納口２００が設けられている。リュック１の使用者は、ジッパ１００のスライダ１０２をスライド操作することによって、第３の収納口２００を開閉することができる。
【００１４】
図２は、本考案のリュック１の背面図である。リュック本体部２の左右の低位置に第１のＤ環１６，１６’が設けられているとともに、中間の高さ位置に第２のＤ環１６２，１６２’が設けられている。第１のＤ環１６，１６’及び第２のＤ環１６２，１６２’は、肩掛けベルト４のフック６，６’を係着させるための係着具として設けられている。図２に示される実施例においては、リュック本体部２の上辺の中央付近に第３のＤ環２０がさらに設けられている。本考案のサコッシュ可変式リュック１がリュックサックとして使用される場合には、この第３のＤ環２０に肩掛けベルト４が通されるとよい。
【００１５】
一実施例においては、使用者がリュック本体部２の正面又は背面の横断方向に延びている中央線２２に沿ってリュック本体部２を二つ折りし易いように、中央線２２付近の布が薄くつくられている場合がある。また、リュック１の所定の位置に、リュック本体部２が二つ折りされた状態を保持するために使用され得る１つ又は複数の係合具２４，２４’が設けられている。そのような係合具２４，２４’としては、磁性体（マグネット等）、面ファスナ、ボタンホック、フック又はこれらの組合せがある。
【００１６】
他の実施例においては、リュック本体部２の正面又は背面の上下方向に延びている中央線（図示せず）と平行にリュック本体部２が縦長となるように二つ折りされた場合に、その二つ折りの状態を保持するために上側の係合具２４と係合具２４’とが互いに係合されるとともに、下側の係合具２４と係合具２４’とが互いに係合される。
【００１７】
リュック本体部２の中央線２２よりも上側を上側区域２６、中央線２２よりも下側を下側区域２８とすると、一実施例においては、所与のキャリーケース３００のキャリーバー４００にリュック本体部２を係着させるための面ファスナ３０が、上側区域２６の下辺に沿って設けられている。さらなる実施例においては、リュック本体部２の所定の位置に、メッシュからなるポケット５００が設けられている場合もある。
【００１８】
図３において、本考案のリュック１は、リュックサックの形態となっている。リュック本体部２のＤ環２０に通された肩掛けベルト４のフック６，６’が、リュック本体部２の低位置に設けられたＤ環１６，１６’に係着されている。
【００１９】
図４は、本考案のリュック１を図３の矢印Ａ方向に見た図であり、リュックサックの形態からサコッシュの形態へ変形されるまでの過程を示している。図４（ａ）に示されるように、使用者は最初に、リュックサックの形態のときのリュック本体部２の左右の低位置に設けられたＤ環１６，１６’から、肩掛けベルト４のフック６，６’を取り外す。使用者は続いて、リュック本体部２の上辺の中央付近に設けられたＤ環２０から肩掛けベルト４を抜いて取り外す。そして、図４（ｂ）の矢印Ｂで示される方向へリュック１の上側区域２６を折り畳んで下側区域２８と重ね合わせると、図４（ｃ）に示されるような二つ折りの状態となる。図４（ｃ）に示されている二つ折りにされた状態においては、一組の係合具２４’，２４’（例えばマグネット）が互いに係合することにより、上側区域２６と下側区域２８とが不意に分離してしまうことがない。
【００２０】
図５（ａ）は、図４（ｃ）の矢印Ｃ方向に見た図であり、リュック本体部２の上側区域２６を示している。図５（ｂ）は、図４（ｃ）の矢印Ｄ方向に見た図であり、リュック本体部２の下側区域２８を示している。図５（ｂ）に示されているように、リュック本体部２が二つ折りされているときには、第３の収納口２００が収納部への主な入口となり得る。
【００２１】
そして、図５に示したリュック本体部２の上辺の両端付近に設けられたＤ環１６２，１６２’に、肩掛けベルト４のフック６，６’が係着されると、本考案のサコッシュ可変式リュック１は、図６に示されるようなサコッシュの形態となる。或いは、段落００１６で説明したようにリュック本体部２が縦長となるように二つ折りされた場合には、例えばＤ環２０，１６に肩掛けベルト４のフック６，６’が係着されると、本考案のサコッシュ可変式リュック１は、図７（ｃ）に示されるようなボディーバッグの形態となる。
【００２２】
図７は、本考案のサコッシュ可変式リュック１が使用されるときの態様を示している。使用者３２は、図７（ａ）においては本考案のサコッシュ可変式リュック１をリュックサックとして背負っている一方で、図７（ｂ）においては本考案のサコッシュ可変式リュック１をサコッシュとして肩から提げている。また図７（ｃ）において、使用者３２は、本考案のサコッシュ可変式リュック１をボディーバッグとして肩から提げている。
【００２３】
図８は、本考案のサコッシュ可変式リュック１が所与のキャリーケース３００のキャリーバー４００に取り付けられている状態を示している。図８（ａ）は、キャリーケース３００の正面図であり、図８（ｂ）は、キャリーケース３００の背面図であり、図８（ｃ）は、キャリーケース３００の側面図である。本考案のサコッシュ可変式リュック１の使用者は、図８（ｂ）に示されるように、リュック本体部２に設けられたジッパ１２とジッパ１００を開いてキャリーケース３００のキャリーバー４００を通し、該リュック本体部２を取り付けることができる。
【００２４】
図９は、本考案のサコッシュ可変式リュック１が所与のキャリーケース３００のキャリーバー４００に他の方法で取り付けられている状態を示している。図９（ａ）は、キャリーケース３００の正面図であり、図９（ｂ）は、キャリーケース３００の背面図であり、図９（ｃ）は、キャリーケース３００の側面図である。本考案のサコッシュ可変式リュック１の使用者は、リュック本体部２に設けられた面ファスナ３０と弾性部材３１を使って、キャリーケース３００のキャリーバー４００に該リュック１を取り付けることもできる。他の実施例においては、面ファスナ３０以外の周知の取付け手段（ボタンホック、マグネット等）が用いられる場合もある。
【００２５】
図１０は、図９に示した面ファスナ３０と弾性部材３１を示す平面図である。弾性部材３１は、ゴム等を含む当技術分野で周知の種々の弾性部材であり得る。
【００２６】
以上のように、本考案のサコッシュ可変式リュック１は、必要に応じて、サコッシュの形態へ変形させたり、リュックサックの形態へ変形させたりすることのできるものである。
【符号の説明】
【００２７】
１…（サコッシュ可変式）リュック
２…リュック本体部
４…肩掛けベルト
６，６’…フック
８…長さ調節部
１０…収納口
１２…ジッパ
１４…スライダ
１６，１６’…Ｄ環
１６２，１６２’…Ｄ環
２０…Ｄ環
２２…横断方向に延びる中央線
２４，２４’…係合具
２６…上側区域
２８…下側区域
３０…面ファスナ
３１…弾性部材
３２…使用者
１００…ジッパ
１０２…スライダ
２００…第３の収納口
３００…キャリーケース
４００…キャリーバー
５００…ポケット
【図１】
0003222654.tif 000003
【図２】
0003222654.tif 000004
【図３】
0003222654.tif 000005
【図４】
0003222654.tif 000006
【図５】
0003222654.tif 000007
【図６】
0003222654.tif 000008
【図７】
0003222654.tif 000009
【図８】
0003222654.tif 000010
【図９】
0003222654.tif 000011
【図１０】
0003222654.tif 000012